(57)【特許請求の範囲】
【請求項１】
キャビネットの上面にシンクを有するカウンターが配置され、前記シンク側方に設置される食器洗浄機の設置構造であって、
前記カウンターに上面開放式の食器洗浄機設置用の開口が設けられると共に、該開口の下方のキャビネット内に引出式の食器洗浄機設置用の空間が設けられ、前記空間に引出式の食器洗浄機が設置された際に、前記開口にトレイが設置されることを特徴とする食器洗浄機の設置構造。
【請求項２】
前記上面開放式の食器洗浄機は、その洗浄槽の上端フランジがカウンターの開口縁部に設けた複数の取付孔を利用して取り付けられると共に、前記引出式の食器洗浄機が設置された際に該取付孔を利用して前記トレイが取り付けられることを特徴とする請求項１に記載の食器洗浄機の設置構造。
【請求項３】
前記トレイは、その上面開口部が蓋体によって覆われていることを特徴とする請求項１または２に記載の食器洗浄機の設置構造。
【請求項４】
前記トレイの底面及びまたは蓋体の上面に水切り機能が付与されていることを特徴とする請求項３に記載の食器洗浄機の設置構造。
【請求項５】
前記キャビネットの空間前方の開口部には、設置される食器洗浄機の形態に応じて開き扉もしくは引出が配置されていることを特徴とする請求項１ないし４のいずれかに記載の食器洗浄機の設置構造。
【発明の詳細な説明】
【技術分野】
【０００１】
本発明は、システムキッチン等のベースキャビネットのシンク側方に設置される食器洗浄機の設置構造に関する。
【背景技術】
【０００２】
従来、例えばシステムキッチンにおいては、図６に示すように、ベースキャビネット２の上面にカウンター３が配置されると共に、このカウンター３の例えば左端側にシンク４が配置されている。また、このシンク４の左側方には、洗浄槽６とこの洗浄槽６の上面開口部を閉塞する蓋体７等からなり、蓋体７を開放することにより、洗浄槽６の上面開口部を介して該洗浄槽６内に食器が出し入れ可能な上面開放式の食器洗浄機５が設置されている。
【０００３】
そして、この上面開放式の食器洗浄機５の場合、洗浄槽６がカウンター３の開口８を利用してベースキャビネット２内に埋設状態とされて、洗浄槽６の上端フランジ６ａが、カウンター３の上面に当接状態でかつカウンター３の開口縁部に設けた多数の取付孔９（図４参照）を利用してねじ（図示せず）で固定することにより、カウンター３にシール性を有して取り付けられている。なお、この種のキッチンとしては、例えば特許文献１に開示のものが知られている。
【特許文献１】特開平１１−１９００５５号公報
【発明の開示】
【発明が解決しようとする課題】
【０００４】
しかしながら、このようなシステムキッチンにおいては、蓋体７が上方に開放される上面開放式の食器洗浄機５により、シンク４で一時洗いした食器を側方に設けた洗浄槽６内の食器籠等にスムーズに収納できて、使い勝手に優れるという利点が得られるものの、カウンター３に食器洗浄機設置用の開口８を設ける必要があるため、例えば食器洗浄機５が故障した場合やユーザの要望により上面開放式の食器洗浄機５を、ベースキャビネット２の前面開口部に引き出し可能に設置される引出式の食器洗浄機に交換する場合等に、開口８を有するカウンター３全体を交換する必要があって、その工事が大掛かりとなり費用が嵩むことになる。
【０００５】
本発明は、このような事情に鑑みてなされたもので、その目的は、カウンターを交換することなく、上面開放式の食器洗浄機でも引出式の食器洗浄機でも簡単に設置できる食器洗浄機の設置構造を提供することにある。
【課題を解決するための手段】
【０００６】
かかる目的を達成すべく、本発明のうち請求項１に記載の発明は、キャビネットの上面にシンクを有するカウンターが配置され、前記シンク側方に設置される食器洗浄機の設置構造であって、前記カウンターに上面開放式の食器洗浄機設置用の開口が設けられると共に、該開口の下方のキャビネット内に引出式の食器洗浄機設置用の空間が設けられ、前記空間に引出式の食器洗浄機が設置された際に、前記開口にトレイが設置されることを特徴とする。
【０００７】
そして、前記上面開放式の食器洗浄機は、請求項２に記載の発明のように、その洗浄槽の上端フランジがカウンターの開口縁部に設けた複数の取付孔を利用して取り付けられると共に、前記引出式の食器洗浄機が設置された際に該取付孔を利用して前記トレイが取り付けられることが好ましい。また、前記トレイは、請求項３に記載の発明のように、その上面開口部が蓋体によって覆われていることが好ましく、この場合、請求項４に記載の発明のように、前記トレイの底面及びまたは蓋体の上面に水切り機能が付与されていることが好ましい。さらに、前記キャビネットの空間前方の開口部には、請求項５に記載の発明のように、設置される食器洗浄機の形態に応じて開き扉もしくは引出が配置されていることが好ましい。
【発明の効果】
【０００８】
本発明の請求項１に記載の発明によれば、上面開放式の食器洗浄機設置用のカウンターの開口下方のキャビネット内に、引出式の食器洗浄機設置用の空間が設けられ、この空間に引出式の食器洗浄機が設置された際にカウンターの開口にトレイが設置されるため、例えば上面開放式の食器洗浄機を引出式の食器洗浄機に交換する際に、カウンターを交換することなく行うことができて、大掛かりな工事が不要となりその費用を低減できる等、所望の食器洗浄機をキャビネットに簡単に設置することができる。
【０００９】
また、請求項２に記載の発明によれば、請求項１に記載の発明の効果に加え、上面開放式の食器洗浄機の洗浄槽の上端フランジがカウンターの開口縁部に設けた複数の取付孔を利用して取り付けられると共に、この取付孔を利用してトレイが取り付けられるため、カウンターに設けられた開口や取付孔をトレイで塞ぐことができて、キッチンの意匠性の低下を防止できると共に、トレイによってキッチンの使い勝手を向上させることができる。
【００１０】
また、請求項３に記載の発明によれば、請求項１または２に記載の発明の効果に加え、トレイの上面開口部が蓋体によって覆われているため、トレイ内の収納物を蓋体で覆うことができて、キッチンの意匠性の低下や使い勝手の一層の向上を図ることができる。
【００１１】
また、請求項４に記載の発明によれば、請求項３に記載の発明の効果に加え、トレイの底面及びまたは蓋体の上面に水切り機能が付与されているため、トレイの底面や蓋体上への水溜まりを防止できて、その清潔性の維持と使い勝手のより一層の向上を図ることができる。
【００１２】
さらに、請求項５に記載の発明によれば、請求項１ないし４に記載の発明の効果に加え、キャビネットの空間前方の開口部に、設置される食器洗浄機の形態に応じて開き扉もしくは引出が配置されているため、食器洗浄機に応じて開き扉や引出を使い分けることができて、食器洗浄機を含めたキッチンの使い勝手をより一層向上させることができる。
【発明を実施するための最良の形態】
【００１３】
以下、本発明の実施の形態を図面に基づいて詳細に説明する。
図１〜図５は、本発明に係わる食器洗浄機の設置構造の一実施形態を示し、図１が該設置構造を採用したシステムキッチンの斜視図、図２がその食器洗浄機設置部分の平面図、図３がその概略正面図、図４が図３のＡ−Ａ線矢視図、図５がその平面図である。なお、以下の説明において、図６と同一部位には同一符号を付して説明する。
【００１４】
図１に示すように、システムキッチン１は、上面にシンク４が配置されたシンクキャビネット２ａと、このシンクキャビネット２ａの左側に配置され食器洗浄機１０が内蔵された洗浄機キャビネット２ｂと、前記シンクキャビネット２ａの右側に配置され複数の引出１４が設けられた調理台キャビネット２ｃと、この調理台キャビネット２ｃの右側に配置され上面にコンロ１１が設けられたコンロキャビネット２ｄ等を有している。そして、これらの各キャビネット２ａ〜２ｄで構成されるベースキャビネット２の上面には、例えば１枚物のカウンター３が配置されている。
【００１５】
前記洗浄機キャビネット２ｂは、図１〜図３に示すように、側板１２と前板１３（図３参照）、図示しない背面板及び底板等により枠組み構成され、その前面開口部には、その上部側に引出式の前記食器洗浄機１０が引き出し可能に設置されると共に、この食器洗浄機１０の下方に通常の引出１４が引き出し可能に配置されている。前記引出式の食器洗浄機１０は、鏡板１７の下部に例えば把手１５ａと操作部１５ｂ（図１参照）が設けられた前板１５と、この前板１５の後部に一体的に配置された洗浄槽１６等で構成されている。そして、前板１５を引き出して洗浄槽１６内に食器を収容して前板１５を閉じた状態で、操作盤１５ｂを操作することにより、洗浄槽１６が作動して食器が洗浄等されるようになっている。
【００１６】
また、洗浄機キャビネット２ｂの上部のカウンター３には、図４及び図５に示すように、トレイ１８と蓋体７が設置されている。このトレイ１８は、例えばステンレスの絞り加工等により、後述する食器洗浄機５の交換時に引出式の食器洗浄機１０の設置に影響しない深さに形成され、その上面開口部１８ａ外周のフランジ１８ｂがカウンター３の開口８縁部に載置され、フランジ１８ｂの裏面にすみ肉溶接されたボルト１９とナット２０によりカウンター３に取り付けられている。
【００１７】
この時、トレイ１８の前記ボルト１９は、カウンター３の開口８縁部に形成されている上面開放式の食器洗浄機設置用の前記取付孔９に対応して複数本溶接され、この各ボルト１９を各取付孔９にＯリング２１を介して貫通させてカウンター３裏面に突出させ、その先端にナット２０を締め付けることにより、トレイ１８がカウンター３に取り付けられている。そして、このトレイ１８の取り付けにより、取付孔９がボルト１９とＯリング２１で閉塞されて、取付孔９部分に所定のシール性が確保された状態となっている。なお、トレイ１８の底面１８ｃには、図５に示すように、包丁等の調理器具を位置決め収容するための所定形状の複数の凹部２２が形成されている。
【００１８】
一方、前記蓋体７は、例えば上面開放式の食器洗浄機５に使用されていた蓋体がそのまま使用され、図２に示すように、左右幅方向の反シンク４側に設けた一対のヒンジ２３によって、カウンター３の開口８、すなわちトレイ１８の上面開口部１８ａを閉塞するようにして設置されている。この蓋体７の上面には、水切り用の凹溝２４や傾斜面等からなる水切り手段が設けられて、蓋体７上の水がシンク４内に流れるように形成されると共に、蓋体７の反ヒンジ２３側の端部中央には、蓋ロック機構２８（図６参照）が配置されて蓋体７を閉止位置等に保持し得るように形成されている。
【００１９】
次に、このように構成された洗浄機キャビネット２ｂへの食器洗浄機５、１０の設置方法の一例について説明する。先ず、ユーザにより上面開放式の食器洗浄機５が選択された場合は、カウンター３の開口８とその縁部に形成した取付孔９を利用して、図６に示すように、食器洗浄機５の洗浄槽６の上端フランジ６ａをカウンター３に取り付けることにより、開口８部分に食器洗浄機５が設置される。
【００２０】
そして、この上面開放式の食器洗浄機５を長年使用して故障等し、例えば引出式の食器洗浄機５に交換する場合は、上面開放式の食器洗浄機５をカウンター３の開口８部分から取り外して開口８を開放させると共に、洗浄機キャビネット２ｂの開き扉２５（図６参照）を取り外して洗浄機キャビネット２ｂの前面を開放させる。この状態で鏡板１７及び引出式の食器洗浄機５と共に例えばセット部品とされているトレイ１８の複数本のボルト１９を、各取付孔９に貫通させてナット２０を締め付けることにより、トレイ１８をカウンター３に取り付け、カウンター３の開口８部分を前述したようにシール性を確保した状態で閉塞する。この時、食器洗浄機５の蓋体７はそのままの状態にすることにより、この蓋体７によってトレイ１８の上面開口部１８ａが閉塞されることになる。
【００２１】
トレイ１８を開口８部分に取り付けたら、洗浄機キャビネット２ｂの開き扉２５が取り外されて前面が開口している空間内に引出式の食器洗浄機５を、図示しないレールやガイドローラ等の付設により引き出し可能に設置すると共に、この食器洗浄機５の各種配線を前記操作盤１７に接続する。この時、食器洗浄機１０の上部に位置するトレイ１８が、食器洗浄機１０の設置に影響しない深さに設定されていることから、洗浄機キャビネット２ｂの空間内に食器洗浄機１０を良好に収納して設置することができる。
【００２２】
これにより、洗浄機キャビネット２ｂの開き扉２５部分に引出式の食器洗浄機１０が設置されて前面開口部が食器洗浄機１０の前板１５で閉塞され、洗浄機キャビネット２ｂに設置される食器洗浄機が上面開放式から引出式に交換される。そして、この食器洗浄機の交換時に、カウンター３自体は交換されることなく従前使用していたカウンター３がそのまま使用されることになる。なお、この食器洗浄機５の交換手順は一例であって、例えば、食器洗浄機１０を設置した後にトレイ１８を取り付ける等、システムキッチン１のベースキャビネット２の構成等に応じて作業がし易い適宜の手順を採用することができる。
【００２３】
このように、上記実施形態のシステムキッチン１にあっては、上面開放式の食器洗浄機５が取り付けられていたカウンター３の開口８下方の洗浄機キャビネット２ｂ内の空間に引出式の食器洗浄機１０が設置されると共に、カウンター３の開口８にトレイ１８が設置されるため、カウンター３を交換することなく、従来使用していた上面開放式の食器洗浄機５から引出式の食器洗浄機１０に交換することができて、例えばカウンター３の交換等の大掛かりな工事が不要となり、その費用を低減することができる。その結果、食器洗浄機の交換を簡単かつ安価に行うことができて、例えばシステムキッチン１の部分的なリフォーム等に的確に対応することが可能となる。
【００２４】
また、上面開放式の食器洗浄機５をカウンター３に取り付けるための複数の取付孔９の全てを利用してトレイ１８が取り付けられるため、カウンター３に形成されていた複数の取付孔９の全てを引出式の食器洗浄機１０への交換後に、ボルト１９やＯリング２１で確実に閉塞して開口８部分に十分なシール性を確保することができ、システムキッチン１の意匠性や防水性の低下を防止することができる。また同時に、シンク４近傍のトレイ１８内に調理器具等を収容できて、システムキッチン１の使い勝手の向上を図ることができ、特に、トレイ１８の底面１８ｃに凹部２２が設けられていることから、収容物を所定位置に整然と収納できてトレイ１８自体の使い勝手を向上させることもできる。
【００２５】
さらに、カウンター３に蓋体７が配置されているため、この蓋体７でトレイ１８の上面開口部１８ａを閉塞することができて、カウンター３上面の意匠性の低下を防止できたり、トレイ１８内を清潔に維持することができると共に、蓋体７の上面に水切り用の凹溝２４が設けられているため、この蓋体７上に食器等を一時載置して水切り等を行うことができて、システムキッチン１の使い勝手を一層向上させることができる。また、上面開放式の食器洗浄機５に使用していた蓋体７をそのまま使用することもできるため、カウンター３の上面の外観を上面開放式の食器洗浄機５が設置されていた場合と同様に維持できて、使用者に違和感のないシステムキッチン１を提供することが可能となる。
【００２６】
なお、上記実施形態における食器洗浄機５は、乾燥機能を備えた食器洗浄乾燥機でも良い。また、上記実施形態において、図４に二点鎖線で示すように、例えばトレイ１８の底面１８ｃ部分に排水口２６を設け、この排水口２６をシンク４の図示しない排水トラップや図２に二点鎖線で示すシンク後方に設けられた洗剤やスポンジ等を収容するための収納凹部２７の排水口等に接続して、トレイ１８内への水溜まりを防止する構成とすることもできる。さらに、上記実施形態においては、トレイ１８の上面開口部を蓋体７によって閉塞可能でかつ蓋体７がロック機構２８によりロック可能に構成したが、例えば蓋体７を省略することもできるし、蓋体７のロック機構２８を省略することもできる。また、上記実施形態における引出式の食器洗浄機１０の形態、その前板１５や把手１５ａの形態、鏡板１７の有無、操作盤１５ｂの位置、システムキッチン１のキャビネット構成等も一例であって、本発明に係わる各発明の要旨を逸脱しない範囲において適宜に変更することができる。
【産業上の利用可能性】
【００２７】
本発明は、システムキッチン等のキッチンへの適用に限らず、食器洗浄機が設置される各種キッチンや厨房等にも適用できる。
【図面の簡単な説明】
【００２８】
【図１】本発明に係わる設置構造を採用したシステムキッチンの一実施形態を示す斜視図
【図２】同その食器洗浄機設置部分の平面図
【図３】同その概略正面図
【図４】同図３のＡ−Ａ線矢視図
【図５】同その平面図
【図６】従来の設置構造を示す要部の斜視図
【符号の説明】
【００２９】
１・・・システムキッチン、２・・・ベースキャビネット、２ａ・・・シンクキャビネット、２ｂ・・・洗浄機キャビネット、３・・・カウンター、４・・・シンク、５・・・食器洗浄機（上面開放式）、６・・・洗浄槽、６ａ・・・上端フランジ、７・・・蓋体、８・・・開口、９・・・取付孔、１０・・・食器洗浄機（引出式）、１５・・・前板、１５ａ・・・把手、１５ｂ・・・操作盤、１６・・・洗浄槽、１７・・・鏡板、１８・・・トレイ、１８ａ・・・上面開口部、１８ｂ・・・フランジ、１８ｃ・・・底面、１９・・・ボルト、２０・・・ナット、２１・・・Ｏリング、２２・・・凹部、２３・・・ヒンジ、２４・・・凹溝、２５・・・開き扉。
【図１】
0004652975.tif 000002
【図２】
0004652975.tif 000003
【図３】
0004652975.tif 000004
【図４】
0004652975.tif 000005
【図５】
0004652975.tif 000006
【図６】
0004652975.tif 000007